(57)【要約】【課題】施工作業の簡素化を図る。【解決手段】照明器具１は、複数のＬＥＤブロック１０と、外部電源から給電されて各ＬＥＤブロック１０を点灯させる電源装置４と、前面に開口部を有する箱形に形成されて各ＬＥＤブロック１０と電源装置４を収容する筐体３とを備えている。照明器具１は、筐体３に着脱可能に取り付けられて開口部を塞ぐカバーブロック５と、電源装置４と外部電源とを電気的に接続する電線２００とを備えている。各ＬＥＤブロック１０は、筐体３内を分割して形成される第１収容領域２１に収容されている。電源装置４は、第２収容領域２２に収容されている。電線２００は、筐体３において第２収容領域２２を囲んでいる側壁３１を貫通する貫通孔３１５を通して筐体３の外に引き出されている。【選択図】        図１
2019091542.tif 000002
【特許請求の範囲】
【請求項１】
１つ以上の光源と、
外部電源から給電されて前記光源を点灯させる電源装置と、
前面に開口部を有する箱形に形成されて前記光源と前記電源装置を収容する筐体と、
前記筐体に着脱可能に取り付けられて前記開口部を塞ぐカバーブロックと、
前記電源装置と前記外部電源とを電気的に接続する電線と
を備え、
前記筐体は、前記開口部と対向する底壁と、前記底壁の周縁から前記開口部に向かって突出する１つ以上の側壁とを有し、
前記光源は、前記筐体内を分割して形成される第１収容領域と第２収容領域のうちの前記第１収容領域に収容され、
前記電源装置は、前記第２収容領域に収容されており、
前記電線は、前記筐体において前記第２収容領域を囲んでいる前記底壁又は前記側壁を貫通する貫通孔を通して前記筐体の外に引き出されている
ことを特徴とする照明器具。
【請求項２】
前記筐体において前記第２収容領域を囲んでいる前記側壁に前記貫通孔が設けられている
ことを特徴とする請求項１記載の照明器具。
【請求項３】
前記筐体は、前記第１収容領域と前記第２収容領域とを隔てる隔壁を有している
ことを特徴とする請求項１又は２記載の照明器具。
【請求項４】
前記電源装置から出力される電力を前記光源に供給するための複数の出力線を備え、
前記複数の出力線は、前記隔壁に設けられている溝又は穴を通して前記光源と前記電源装置を電気的に接続している
ことを特徴とする請求項３記載の照明器具。
【請求項５】
前記底壁の前記開口部と対向しない背面において前記底壁の厚み方向に沿って前記第１収容領域と対向する領域に複数の放熱板が設けられている
ことを特徴とする請求項１〜４のいずれか１項に記載の照明器具。
【請求項６】
前記底壁の前記背面において前記第１収容領域と対向する前記領域に設けられる前記放熱板の個数は、前記底壁の前記背面において前記底壁の厚み方向に沿って前記第２収容領域と対向する領域に設けられる前記放熱板の個数よりも多い
ことを特徴とする請求項５記載の照明器具。
【請求項７】
前記筐体は、前記開口部と対向する底壁と、前記底壁の周縁から前記開口部に向かって突出する１つ以上の側壁とを含む複数の前記壁を有しており、
前記底壁の前記背面に、落下防止用のワイヤが固定される１つ以上のワイヤ固定部が設けられている
ことを特徴とする請求項１〜６のいずれか１項に記載の照明器具。
【請求項８】
前記筐体を回転可能に支持する支持部材を備え、
前記支持部材は、
前記筐体に設けられている軸受部と回転可能に結合される軸部を有し、
前記ワイヤ固定部は、前記筐体の回転軸と交差する第１方向における前記軸受部との距離が、前記回転軸と交差する第２方向における前記筐体の端部までの距離よりも短くなる位置に配置されている
ことを特徴とする請求項７記載の照明器具。
【請求項９】
前記軸受部の少なくとも一部が、前記筐体の前記背面において前記第１収容領域と対向する前記領域に設けられる
ことを特徴とする請求項８記載の照明器具。
【請求項１０】
前記軸受部は、前記複数の放熱板と並ぶように前記筐体の前記背面に設けられている
ことを特徴とする請求項８又は９記載の照明器具。
【請求項１１】
前記光源は、
固体発光素子と、
前記固体発光素子から放射される光の配光を制御する配光制御部材と
を有し、
前記カバーブロックは、
遮光性を有し、前記第１収容領域と対向する窓孔を有して前記開口部を塞ぐ不透光カバーと、
透光性を有し、少なくとも前記窓孔を塞ぐ透光パネルと
を有する
ことを特徴とする請求項１〜１０のいずれか１項に記載の照明器具。
【発明の詳細な説明】
【技術分野】
【０００１】
本発明は、照明器具に関し、より詳細には、電源装置を搭載した照明器具に関する。
【背景技術】
【０００２】
電源装置を搭載した照明器具の従来例として特許文献１記載の照明器具を例示する。特許文献１記載の照明器具は、光源モジュールと電源ボックスとで構成される器具本体を備える。光源モジュールは、アルミダイカスト製の本体内に複数個の発光ダイオードを収容して構成されている。電源ボックスは、アルミダイカスト製のボックス本体と蓋とで構成される。ボックス本体内には、外部から導入される電源ケーブルと電気的に接続される端子台、電源ケーブルを介して供給される交流電力を直流電力に変換して光源モジュールに供給する電源装置などが収容される。
【先行技術文献】
【特許文献】
【０００３】
【特許文献１】特開２０１５−８８４３２号公報
【発明の概要】
【発明が解決しようとする課題】
【０００４】
ところで、特許文献１記載の従来例では、施工作業において電源ボックスの蓋が取り外され、ボックス本体内で電源ケーブルと電源装置との結線が行われていた。しかしながら、施工作業の簡素化を図るには特許文献１記載の従来例の構成では十分ではなく、更なる改良が求められていた。
【０００５】
本発明の目的は、施工作業の簡素化を図ることのできる照明器具を提供することである。
【課題を解決するための手段】
【０００６】
本発明の一態様に係る照明器具は、１つ以上の光源と、外部電源から給電されて前記光源を点灯させる電源装置と、前面に開口部を有する箱形に形成されて前記光源と前記電源装置を収容する筐体とを備えている。前記照明器具は、前記筐体に着脱可能に取り付けられて前記開口部を塞ぐカバーブロックと、前記電源装置と前記外部電源とを電気的に接続する電線とを備えている。前記筐体は、前記開口部と対向する底壁と、前記底壁の周縁から前記開口部に向かって突出する１つ以上の側壁とを有している。前記光源は、前記筐体内を分割して形成される第１収容領域と第２収容領域のうちの前記第１収容領域に収容されている。前記電源装置は、前記第２収容領域に収容されている。前記電線は、前記筐体において前記第２収容領域を囲んでいる前記底壁又は前記側壁を貫通する貫通孔を通して前記筐体の外に引き出されている。
【発明の効果】
【０００７】
本発明の照明器具は、施工作業の簡素化を図ることができるという効果がある。
【図面の簡単な説明】
【０００８】
【図１】図１は、本発明の一態様に係る照明器具の分解斜視図である。
【図２】図２は、同上の照明器具の斜め前方から見た斜視図である。
【図３】図３は、同上の照明器具の斜め後方から見た斜視図である。
【図４】図４は、同上の照明器具の正面図である。
【図５】図５は、同上の照明器具の背面図である。
【図６】図６は、同上の照明器具の左側面図である。
【図７】図７は、同上の照明器具の右側面図である。
【図８】図８は、同上の照明器具の下面図である。
【図９】図９は、同上の照明器具のカバーブロックを外した状態の正面図である。
【発明を実施するための形態】
【０００９】
以下、本発明の一態様に係る照明器具の実施形態について、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１０】
本実施形態の照明器具１は、図１に示すように、１つ以上の光源（ＬＥＤブロック１０）と、外部電源から給電されて各ＬＥＤブロック１０を点灯させる電源装置４とを備えている。照明器具１は、前面に開口部を有する箱形に形成されてＬＥＤブロック１０と電源装置４を収容する筐体３と、筐体３に着脱可能に取り付けられて開口部を塞ぐカバーブロック５と、電源装置４と外部電源とを電気的に接続する電線２００とを更に備えている。筐体３は、開口部と対向する底壁３０と、底壁３０の周縁から開口部に向かって突出する１つ以上の側壁３１とを有している。ＬＥＤブロック１０は、筐体３内を分割して形成される第１収容領域２１と第２収容領域２２のうちの第１収容領域２１に収容されている。電源装置４は、第２収容領域２２に収容されている。電線２００は、筐体３において第２収容領域２２を囲んでいる側壁３１を貫通する貫通孔３１５を通して筐体３の外に引き出されている。つまり、施工現場では、筐体３から引き出された電線２００と外部電源の電源線とを電気的に接続する際、従来例のようにカバーブロック５を筐体３から取り外す必要がない。そのため、本実施形態の照明器具１は、施工作業において筐体３からカバーブロック５を取り外す場合に比べて、施工作業の簡素化を図ることができる。
【００１１】
以下、実施形態の照明器具１について、図面を参照して詳細に説明する。本実施形態の照明器具１は、図２〜図８に示すように、建物の壁面や看板等を照明する用途に用いられる照明器具、いわゆる投光器である。なお、以下の説明においては、特に断りのない限り、図１において照明器具１の前後、上下、左右の各方向を規定する。
【００１２】
照明器具１は、筐体３とカバーブロック５からなる器具本体２を備えている（図１及び図３参照）。筐体３は、長方形状の底壁３０と、底壁３０の周縁から前方へ突出する４つの側壁３１とを有している。つまり、筐体３は、前面に開口部を有する箱形に形成されている。底壁３０と４つの側壁３１とは、アルミダイカストによって一体に形成されている。なお、以下の説明では、底壁３０の上側の辺から前方へ突出する側壁３１を第１側壁３１１と呼び、底壁３０の下側の辺から前方へ突出する壁３１を第２側壁３１２と呼ぶ場合がある。同様に、底壁３０の左側の辺から前方へ突出する側壁３１を第３側壁３１３と呼び、底壁３０の右側の辺から前方へ突出する側壁３１を第４側壁３１４と呼ぶ場合がある。
【００１３】
筐体３の内部は、複数のＬＥＤブロック１０が収容される第１収容領域２１と、電源装置４が収容される第２収容領域２２とに分割されている（図１参照）。筐体３は、第１収容領域２１と第２収容領域２２とを隔てる隔壁３２を更に有している。隔壁３２は、矩形板状であって、底壁３０の前面における第１収容領域２１と第２収容領域２２との境界位置から前方へ突出するように形成されている。隔壁３２の左側の端は第３側壁３１３と繋がり、隔壁３２の右側の端は第４側壁３１４と繋がっている。言い換えると、第１収容領域２１とは、筐体３の内部の空間において、底壁３０と第１側壁３１１と第３側壁３１３と第４側壁３１４と隔壁３２とに囲まれている空間（領域）である。また、第２収容領域２２とは、筐体３の内部の空間において、底壁３０と第２側壁３１２と第３側壁３１３と第４側壁３１４と隔壁３２とに囲まれている空間（領域）である。
【００１４】
第１収容領域２１における底壁３０の前面に６つのＬＥＤブロック１０が取り付けられている（図１及び図２参照）。これら６つのＬＥＤブロック１０は、前方から見て上下２列及び左右３列のマトリクス状に並ぶように配置されている。第２収容領域２２における底壁３０の前面には、取付台を介して電源装置４が取り付けられている。電源装置４は、取付台を介することによって、底壁３０の前面との間に隙間を設けた状態で底壁３０に取り付けられている（図１参照）。なお、第２収容領域２２において電源装置４の前方には、電気絶縁性を有する保護シート４５が配置されている（図１及び図９参照）。
【００１５】
各ＬＥＤブロック１０は、ＬＥＤモジュール１１と、配光制御部材とを有している。ＬＥＤモジュール１１は、例えば、実装基板に実装された１つ以上の青色ＬＥＤチップと、青色ＬＥＤチップを封止する封止樹脂とを有している。封止樹脂には青色ＬＥＤチップから放射される青色光を黄色光に変換する波長変換部材が混入されている。ＬＥＤモジュール１１は、青色光と黄色光を混合させることで白色光を放射するように構成されている。ＬＥＤモジュール１１は、底壁３０に取り付けられることで筐体３と熱的に結合される。したがって、点灯中のＬＥＤモジュール１１から発生する熱は、筐体３に伝導され、筐体３から大気中に放熱される。
【００１６】
本実施形態における配光制御部材は、レンズユニット１２である（図１及び図２参照）。レンズユニット１２は、おおむね砲弾形状のレンズ１２０と、レンズ１２０の前端から後方へ突出する一対の取付脚１２１とを有している。レンズ１２０と一対の取付脚１２１とは、アクリル樹脂やポリカーボネート樹脂などの透光性を有する合成樹脂で形成されることが好ましい。なお、配光制御部材はレンズユニット１２に限定されない。配光制御部材は、例えば、ボウル状に形成されてＬＥＤモジュール１１の光を反射して配光を制御する反射鏡などであってもかまわない。また、各ＬＥＤブロック１０の配光制御部材が同一である必要はなく、例えば、配光制御部材がレンズユニット１２であるＬＥＤブロック１０と、配光制御部材が反射鏡であるＬＥＤブロック１０とが混在していてもかまわない。
【００１７】
電源装置４は、外部電源（例えば、商用の交流電源）から供給される交流電力を直流電力に変換する電力変換回路を有している。電力変換回路は、例えば、全波整流器、力率改善回路（昇圧チョッパ回路）、ＤＣ／ＤＣコンバータ（降圧チョッパ回路）などで構成されることが好ましい。電源装置４は、矩形板状のプリント配線板４０の表面（前面又は前後両面）に、電力変換回路を構成する複数の回路部品４１、入力端子台４２及び出力端子台４３が実装されて構成されている（図１参照）。なお、これらの回路部品４１のうちでプリント配線板４０に挿入実装される回路部品（例えば、トランスや電解コンデンサなど）及び入力端子台４２、出力端子台４３は、プリント配線板４０の前面（部品面）に実装されている。一方、表面実装型の回路部品は、プリント配線板４０の後面に表面実装されている。入力端子台４２には２本の電線２００が電気的に接続されている。また、出力端子台４３には４本の出力線２３が電気的に接続されている（図９参照）。
【００１８】
４本の出力線２３のうちの２本の出力線２３は、隔壁３２の前端における左端に設けられている切欠状の電線挿通溝３２０を通して第２収容領域２２から第１収容領域２１に配線されている（図１及び図９参照）。また、これら２本の出力線２３のうちの１本の出力線２３は、下側の列の左端のＬＥＤモジュール１１のアノード端子と電気的に接続され、残り１本の出力線２３は、上側の列の左端のＬＥＤモジュール１１のアノード端子と電気的に接続されている。４本の出力線２３のうちの残り２本の出力線２３は、隔壁３２の前端における右端に設けられている切欠状の電線挿通溝３２０を通して第２収容領域２２から第１収容領域２１に配線されている。また、これら２本の出力線２３のうちの１本の出力線２３は、下側の列の右端のＬＥＤモジュール１１のカソード端子と電気的に接続され、残り１本の出力線２３は、上側の列の右端のＬＥＤモジュール１１のカソード端子と電気的に接続されている。なお、上側の列の３つのＬＥＤブロック１０の各々のＬＥＤモジュール１１はリード線によって電気的に直列接続されている。同様に、下側の列の３つのＬＥＤブロック１０の各々のＬＥＤモジュール１１はリード線によって電気的に直列接続されている。したがって、直列接続された上側の列の３つのＬＥＤモジュール１１と、直列接続された下側の列の３つのＬＥＤモジュール１１とは、４本の出力線２３を介して電源装置４の出力端子間に電気的に並列接続されている。ただし、上述した電源装置４と６つのＬＥＤブロック１０（ＬＥＤモジュール１１）との接続関係は一例に過ぎず、例えば、６つのＬＥＤモジュール１１が電源装置４の出力端子間に電気的に直列接続されてもかまわない。
【００１９】
ここで、隔壁３２は、ＬＥＤブロック１０から放射される光が第２収容領域２２に進入することを防いでいる。ＬＥＤブロック１０から放射される光が回路部品４１に長時間にわたって照射された場合、例えば、合成樹脂製のパッケージを有する回路部品４１では、パッケージからガスが発生するおそれや、パッケージの経年劣化が促進されるおそれがある。したがって、隔壁３２によってＬＥＤブロック１０から放射される光が回路部品４１に長時間にわたって照射されることがなくなるので、ガスの発生やパッケージの経年劣化の促進などの不具合の発生を抑えることができる。
【００２０】
カバーブロック５は、不透光カバー５０と、透光パネル５１と、シール部材５２とを有している（図１参照）。不透光カバー５０は、例えば、金属板のように可視光を透過しない材料によって長方形状に形成されている。不透光カバー５０には、前方から見て筐体３の第１収容領域２１と重なる形状及び大きさを有する四角形状の窓孔５００が設けられている。つまり、筐体３の第１収容領域２１は、不透光カバー５０の窓孔５００を通して器具本体２の前面に露出している（図２参照）。一方、筐体３の第２収容領域２２は、不透光カバー５０によって覆われているために器具本体２の前面に露出しない。
【００２１】
透光パネル５１は、ポリカーボネート樹脂などの透光性を有する材料によって、不透光カバー５０とほぼ同一の長方形状に形成されている（図１参照）。透光パネル５１は、筐体３と不透光カバー５０の間に配置されて不透光カバー５０の窓孔５００を塞いでいる。したがって、６つのＬＥＤブロック１０から放射される光は、透光パネル５１を透過し、かつ、窓孔５００を通して器具本体２の前方へ照射される。
【００２２】
透光パネル５１の周縁にシール部材５２が取り付けられている。シール部材５２は、例えば、合成ゴムによって長方形の枠状に形成されている。シール部材５２の内周面には全周に渡る１つの溝が形成されている。シール部材５２は、透光パネル５１の周縁部分を溝にはめ込むようにして透光パネル５１の周縁に取り付けられている。
【００２３】
カバーブロック５は、筐体３の４つの側壁３１の前端と不透光カバー５０との間にシール部材５２を介して透光パネル５１の周縁部分を挟み込んだ状態で筐体３にねじ止めされる。つまり、筐体３の前面の開口部がカバーブロック５によって気密に閉塞される。したがって、カバーブロック５と筐体３の側壁３１の前端との隙間がシール部材５２でシールされるので、器具本体２内への雨水等の浸入を防ぐことができる。
【００２４】
ここで、電源装置４の入力端子台４２に接続される２本の電線２００は、第２収容領域２２における底壁３０に電気的に接続される接地用の１本の電線２００とともに、第２側壁３１２に設けられた貫通孔３１５を通して筐体３の外に引き出されている（図１参照）。ただし、これら３本の電線２００は、例えば、３心のビニル絶縁ビニルシースケーブルからなる電気ケーブル２０の３本の絶縁線心で構成されている。電気ケーブル２０は、第２側壁３１２の貫通孔３１５に挿通され、ケーブルグランド２４によって第２側壁３１２の外表面に固定されている（図７及び図８参照）。ケーブルグランド２４は、電気ケーブル２０を筐体３に固定するとともに電気ケーブル２０と貫通孔３１５との隙間をシールしている。
【００２５】
また、底壁３０の背面に放熱部材７が設けられている（図３及び図５〜図７参照）。放熱部材７は、底壁３０の背面から後方へ突出する複数の放熱板を有している。複数の放熱板は、複数（１１枚）の第１放熱板７１と、複数（９枚）の第２放熱板７２とを含んでいる。複数の第１放熱板７１と複数の第２放熱板７２の各々は、いずれも角の丸い台形状に形成されている（図３参照）。複数の第１放熱板７１は、底壁３０の背面における上部に、各第１放熱板７１の厚み方向（第１方向）を左右方向に一致させ、かつ、左右方向に等間隔に並ぶように配置されている。複数の第２放熱板７２は、底壁３０の背面における中央部に、各第２放熱板７２の厚み方向（第１方向）を左右方向に一致させ、かつ、左右方向に等間隔に並ぶように配置されている（図５参照）。ただし、左右両端の第１放熱板７１を除く９枚の第１放熱板７１と、９枚の第２放熱板７２とは、第１放熱板７１及び第２放熱板７２の各々の厚み方向（第１方向）に交差する第２方向（上下方向）に間隙７３を設けて並ぶように配置されている（図５参照）。
【００２６】
複数の第１放熱板７１及び複数の第２放熱板７２は、アルミダイカストによって筐体３と一体に形成されている。なお、複数の第１放熱板７１及び複数の第２放熱板７２が形成されている底壁３０の背面における上部及び中央部は、底壁３０の厚み方向（前後方向）に沿って筐体３の第１収容領域２１と対向している。つまり、複数の第１放熱板７１と上側の列の３つのＬＥＤブロック１０とが底壁３０を挟んで隣り合い、複数の第２放熱板７２と下側の列の３つのＬＥＤブロック１０とが底壁３０を挟んで隣り合っている。そのため、複数のＬＥＤブロック１０が発する熱を効率的に放熱部材（複数の第１放熱板７１及び複数の第２放熱板７２）に伝導させて筐体３の放熱性の向上を図ることができる。
【００２７】
ここで、底壁３０の背面には、上下方向に３例以上の放熱板が設けられてもかまわない。なお、３列目以降の放熱板は、底壁３０の厚み方向に沿って筐体３の第２収容領域２２と対向している、底壁３０の背面における下部に配置される。この場合、底壁３０の背面における下部の放熱板により、電源装置４が発する熱を効率的に放熱させることができる。ただし、６つのＬＥＤブロック１０が発する合計の熱量は、電源装置４が発する熱量よりも十分に多いと考えられる。したがって、底壁３０の背面における上部及び中央部に設けられる放熱板の個数は、底壁３０の背面における下部に設けられる放熱板の個数よりも多いことが好ましい。また、放熱板の個数が増えるにつれて器具本体２の重量も増大するので、底壁３０の背面に設けられる放熱板の総数は少ない方が好ましい。そのため、本実施形態の照明器具１では、底壁３０の背面における下部に放熱板を設けないことにより、複数のＬＥＤブロック１０の発する熱の放熱性の向上を図りつつ器具本体２の重量の増大を抑制している。
【００２８】
さらに、底壁３０の背面には一対の軸受部３４が設けられている。軸受部３４は、円筒形状の外郭３４０と、外郭３４０の中心に設けられる雌ねじ部と、筐体３に対して外郭３４０を支持する支持台３４１とを有している（図３及び図５参照）。支持台３４１は、軸受部３４の軸方向（左右方向）から見て台形状に形成されている。支持台３４１は、底壁３０の背面において底壁３０の長手方向（上下方向）のほぼ中央に配置され、底壁３０の背面から後方に突出している。ここで、軸受部３４の少なくとも一部が、筐体３の背面において第１収容領域２１と対向する領域に設けられている。具体的には、前後方向から見たときに各軸受部３４の一部が第１収容領域２１と重なっている。そのため、照明器具１を前方から見たとき、左側の軸受部３４が第３側壁３１３の外に飛び出す量、及び右側の軸受部３４が第４側壁３１４の外に飛び出す量を低減して照明器具１の小型化を図ることができる。また、一対の軸受部３４は、複数の第２放熱板７２と左右方向に沿って並ぶように配置されている。つまり、各軸受部３４にも底壁３０から熱が伝導されて放熱性の向上に寄与することができる。
【００２９】
一対の軸受部３４には支持部材６が回転可能に取り付けられる。支持部材６は、固定部６０と、固定部６０の左右両端から上向きに立ち上がる一対の腕部６１とを有している（図３参照）。固定部６０と一対の腕部６１とは金属板によって一体に形成されている。固定部６０は、中央に貫通する円形の固定孔６００と、固定孔６００よりも後方において固定孔６００を中心とする半円弧状に貫通する長穴６０１とを有している（図３及び図８参照）。そして、固定孔６００に挿通されるボルト及びナットと、長穴６０１に挿通されるボルト及びナットとで固定部６０が照明台などに固定される。また、長穴６０１に挿通されるボルトを緩めることにより、支持部材６の向き(照明器具１の光軸の向き)を変更することができる。
【００３０】
また、支持部材６は、２つの軸部６２を有している。各軸部６２は、座金付きボルトからなる。一対の腕部６１の先端部に円形の挿通孔がそれぞれ貫通している。各軸部６２は、対応する腕部６１の挿通孔に挿通された後、筐体３の軸受部３４の雌ねじ部にねじ込まれる。つまり、支持部材６は、一対の軸受部３４を介して器具本体２と結合され、かつ、雌ねじ部にねじ込まれる軸部６２を回転軸として器具本体２を回転可能に支持する。なお、左側の軸受部３４には円盤状の目盛板６３が取り付けられる。この目盛板６３には棒状の目印が刻印されている。一方、左側の腕部６１の先端には、軸部６２を中心とする角度の目盛が刻印されている。したがって、目盛板６３の目印と、腕部６１の目盛との相対的な位置関係により、支持部材６に対する器具本体２の回転角度が読み取れるように構成されている。
【００３１】
また、左側の腕部６１には、支持部材６に対する器具本体２の回転を止める（ロックする）ためのロック機構６４が設けられている（図３〜図６参照）。ロック機構６４は、ロック金具６４０と、ハンドル６４１と、ナットとを有している。ロック金具６４０は、金属板によって角樋状に形成されている。ロック金具６４０の長手方向の一端側にねじ挿通孔が設けられている。ロック金具６４０の長手方向の他端から爪６４００が突出している。ロック金具６４０は、左側の腕部６１に設けられている穴に爪６４００が挿入され、腕部６１における穴の周縁部分に爪６４００を引っ掛けるようにして腕部６１に取り付けられている。ハンドル６４１は、Ｌ字形の金属棒で構成されている。ハンドル６４１の先端部分には雄ねじ６４１０が形成されている。ハンドル６４１の雄ねじ６４１０は、左側の腕部６１に設けられている取付穴に挿通され、更にロック金具６４０のねじ挿通孔に挿通された後、ナットにはめ込まれる。ナットはロック金具６４０の内側に収められた状態でロック金具６４０の両側の壁によって回り止めされている。したがって、器具本体２の左側から見てハンドル６４１が時計回りに回されると、ロック金具６４０が腕部６１との間で目盛板６３を挟み込む力が増大する。その結果、支持部材６に対する器具本体２の回転が止められる（ロックされる）。一方、器具本体２の左側から見てハンドル６４１が反時計回りに回されると、ロック金具６４０が腕部６１との間で目盛板６３を挟み込む力が減少するので、支持部材６に対する器具本体２の回転が可能となる。
【００３２】
さらに、底壁３０の背面には一対のワイヤ固定部３３が設けられている（図３及び図５参照）。一対のワイヤ固定部３３は、おおむね円柱状に形成されたボス３３０と、ボス３３０内に形成されている雌ねじと同心にはまり合うボルト３３１とをそれぞれ有している。なお、ボルト３３１は、座金がボルトから抜け落ちないように組み込まれた座金組み込みボルトである。各ワイヤ固定部３３には、落下防止用のワイヤ８０の両端に形成されている２つのループ８００が１つずつ固定されている。具体的には、ワイヤ８０のループ８００が挿通されたボス３３０の雌ねじにボルト３３１が締め付けられることにより、ボルト３３１（の座金）でループ８００が抜け止めされている。ここで、ワイヤ固定部３３が設けられる場所は底壁３０の背面に限定されないが、ワイヤ固定部３３が底壁３０の背面に設けられることにより、支持部材６に対して器具本体２を回転させる際にワイヤ固定部３３が邪魔になりにくいという利点がある。
【００３３】
ここで、各ワイヤ固定部３３は、筐体３の回転軸（軸部６２）と交差する第１方向（上下方向）における軸受部３４との距離が、回転軸と交差する第２方向（左右方向）における筐体３の端部までの距離よりも短くなる位置に配置されている（図５参照）。このような位置に各ワイヤ固定部３３が配置されることにより、器具本体２がワイヤ８０につられる状況になった場合に、ワイヤ８０によって器具本体２をバランスよくつることができる。
【００３４】
ワイヤ８０は、各腕部６１を貫通する貫通孔６１３に挿通される。さらに、ワイヤ８０は、固定部６０が固定される照明台などに固定されたワイヤ受け金具８１に支持される。つまり、支持部材６の固定部６０が照明台から外れた場合、ワイヤ８０が器具本体２を支持することで照明器具１の落下が防止される。
【００３５】
なお、照明器具１の設置状態は、実施形態で説明した設置状態に限定されない。例えば、照明器具１は、支持部材６の固定部６０が建物の外壁に固定されるような設置状態で使用される場合がある。あるいは、照明器具１は、支持部材６の固定部６０が器具本体２よりも高い位置に固定されるような設置状態で使用される場合もある。
【００３６】
上述のように本発明の第１の態様に係る照明器具（１）は、１つ以上の光源（ＬＥＤブロック１０）と、外部電源から給電されて光源を点灯させる電源装置（４）と、前面に開口部を有する箱形に形成されて光源と電源装置（４）を収容する筐体（３）とを備える。第１の態様に係る照明器具（１）は、筐体（３）に着脱可能に取り付けられて開口部を塞ぐカバーブロック（５）と、電源装置（４）と外部電源とを電気的に接続する電線（２００）とを備える。筐体（３）は、開口部と対向する底壁（３０）と、底壁（３０）の周縁から開口部に向かって突出する１つ以上の側壁（３１）とを有している。光源は、筐体（３）内を分割して形成される第１収容領域（２１）と第２収容領域（２２）のうちの第１収容領域（２１）に収容されている。電源装置（４）は、第２収容領域（２２）に収容されている。電線（２００）は、筐体（３）において第２収容領域（２２）を囲んでいる底壁（３０）又は側壁（３１）を貫通する貫通孔（３１５）を通して筐体（３）の外に引き出されている。
【００３７】
第１の態様に係る照明器具（１）は、施工現場で筐体（３）から引き出された電線（２００）と外部電源の電源線とを電気的に接続する際、従来例のようにカバーブロック（５）を筐体（３）から取り外す必要がない。そのため、第１の態様に係る照明器具（１）は、施工作業において筐体（３）からカバーブロック（５）を取り外す場合に比べて、施工作業の簡素化を図ることができる。
【００３８】
本発明の第２の態様に係る照明器具（１）は、第１の態様との組合せにより実現され得る。第２の態様に係る照明器具（１）において、筐体（３）において第２収容領域（２２）を囲んでいる側壁（３１）に貫通孔（３１５）が設けられていることが好ましい。
【００３９】
第２の態様に係る照明器具（１）は、貫通孔（３１５）が底壁（３０）に設けられる場合に比べて、筐体（３）内の電線（２００）の引き回しを容易化することができる。
【００４０】
本発明の第３の態様に係る照明器具（１）は、第１又は第２の態様との組合せにより実現され得る。第３の態様に係る照明器具（１）において、筐体（３）は、第１収容領域（２１）と第２収容領域（２２）とを隔てる隔壁（３２）を有していることが好ましい。
【００４１】
第３の態様に係る照明器具（１）は、光源から放射される光が隔壁（３２）で遮られるので、光の照射に伴う電源装置（４）の不具合の発生を抑制することができる。
【００４２】
本発明の第４の態様に係る照明器具（１）は、第３の態様との組合せにより実現され得る。第４の態様に係る照明器具（１）において、電源装置（４）から出力される電力を光源に供給するための複数の出力線（２３）を備えることが好ましい。複数の出力線（２３）は、隔壁（３２）に設けられている溝（電線挿通溝３２０）又は穴を通して光源と電源装置（４）を電気的に接続していることが好ましい。
【００４３】
第４の態様に係る照明器具（１）は、電源装置（４）と光源を電気的に接続する出力線（２３）の配線の簡素化を図ることができる。
【００４４】
本発明の第５の態様に係る照明器具（１）は、第１〜第４の態様のいずれか１つとの組合せにより実現され得る。第５の態様に係る照明器具（１）において、底壁（３０）の開口部と対向しない背面において底壁（３０）の厚み方向に沿って第１収容領域（２１）と対向する領域に複数の放熱板（第１放熱板７１、第２放熱板７２）が設けられていることが好ましい。
【００４５】
第５の態様に係る照明器具（１）は、光源が発する熱を底壁（３０）から複数の放熱板に伝導して放熱性の向上を図ることができる。
【００４６】
本発明の第６の態様に係る照明器具（１）は、第５の態様との組合せにより実現され得る。第６の態様に係る照明器具（１）において、底壁（３０）の背面において第１収容領域（２１）と対向する領域に設けられる放熱板の個数は、底壁（３０）の背面において底壁（３０）の厚み方向に沿って第２収容領域（２２）と対向する領域に設けられる放熱板の個数よりも多いことが好ましい。
【００４７】
第６の態様に係る照明器具（１）は、電源装置（４）の発する熱量よりも光源の発する熱量の方が多い場合に、全体の放熱性の向上を図りつつ筐体（３）の重量増大の抑制を図ることができる。
【００４８】
本発明の第７の態様に係る照明器具（１）は、第１〜第６の態様のいずれか１つとの組合せにより実現され得る。第７の態様に係る照明器具（１）において、筐体（３）は、開口部と対向する底壁（３０）と、底壁（３０）の周縁から開口部に向かって突出する１つ以上の側壁（３１）とを含む複数の壁を有していることが好ましい。底壁（３０）の背面に、落下防止用のワイヤ（８０）が固定される１つ以上のワイヤ固定部（３３）が設けられていることが好ましい。
【００４９】
第７の態様に係る照明器具（１）は、ワイヤ（８０）をワイヤ固定部（３３）に固定する作業の作業性の向上を図ることができる。
【００５０】
本発明の第８の態様に係る照明器具（１）は、第７の態様との組合せにより実現され得る。第８の態様に係る照明器具（１）において、筐体（３）を回転可能に支持する支持部材（６）を備えることが好ましい。支持部材（６）は、筐体（３）に設けられている軸受部（３４）と回転可能に結合される軸部（６２）を有することが好ましい。ワイヤ固定部（３３）は、筐体（３）の回転軸（軸部６２）と交差する第１方向における軸受部（３４）との距離が、回転軸と交差する第２方向における筐体（３）の端部までの距離よりも短くなる位置に配置されていることが好ましい。
【００５１】
第８の態様に係る照明器具（１）は、筐体（３）が落下防止用のワイヤ（８０）につられる状況になった場合に、ワイヤ（８０）によって筐体（３）をバランスよくつることができる。
【００５２】
本発明の第９の態様に係る照明器具（１）は、第８の態様との組合せにより実現され得る。第９の態様に係る照明器具（１）において、軸受部（３４）の少なくとも一部が、筐体（３）の背面において第１収容領域（２１）と対向する領域に設けられることが好ましい。
【００５３】
第９の態様に係る照明器具（１）は、軸受部（３４）が筐体（３）の外に飛び出す量を低減して小型化を図ることができる。
【００５４】
本発明の第１０の態様に係る照明器具（１）は、第８又は９の態様との組合せにより実現され得る。第１０の態様に係る照明器具（１）において、軸受部（３４）は、複数の放熱板と並ぶように筐体（３）の背面に設けられていることが好ましい。
【００５５】
第１０の態様に係る照明器具（１）は、軸受部（３４）にも底壁（３０）から熱が伝導されるので、放熱性の更なる向上を図ることができる。
【００５６】
本発明の第１１の態様に係る照明器具（１）は、第１〜第１０の態様のいずれか１つとの組合せにより、実現され得る。第１２の態様に係る照明器具（１）において、光源は、固体発光素子（ＬＥＤモジュール１１）と、固体発光素子から放射される光の配光を制御する配光制御部材（レンズユニット１２）とを有することが好ましい。カバーブロック（５）は、遮光性を有し、第１収容領域（２１）と対向する窓孔（５００）を有して開口部を塞ぐ不透光カバー（５０）と、透光性を有し、少なくとも窓孔（５００）を塞ぐ透光パネル（５１）とを有することが好ましい。
【００５７】
第１１の態様に係る照明器具（１）は、筐体（３）の第２収容領域（２２）を不透光カバー（５０）によって隠しつつ、光源から放射される光を窓孔（５００）を通して筐体（３）の外に照射し、かつ、透光パネル（５１）で光源を保護することができる。
【符号の説明】
【００５８】
１  照明器具
３  筐体
４  電源装置
５  カバーブロック
６  支持部材
１０  ＬＥＤブロック（光源）
１１  ＬＥＤモジュール（固体発光素子）
２１  第１収容領域
２２  第２収容領域
２３  出力線
３０  底壁
３１  側壁
３２  隔壁
３３  ワイヤ固定部
３４  軸受部
５０  不透光カバー
５１  透光パネル
６２  軸部（回転軸）
７１  第１放熱板（放熱板）
７２  第２放熱板（放熱板）
８０  ワイヤ
２００  電線
３１５  貫通孔
３２０  電線挿通溝
５００  窓孔
【図１】
2019091542.tif 000003
【図２】
2019091542.tif 000004
【図３】
2019091542.tif 000005
【図４】
2019091542.tif 000006
【図５】
2019091542.tif 000007
【図６】
2019091542.tif 000008
【図７】
2019091542.tif 000009
【図８】
2019091542.tif 000010
【図９】
2019091542.tif 000011